【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
基礎上に止められる土台と、土台の上に立てられる柱材と、柱材間に多数段落とし込まれる壁材と、壁材で構成される壁の開口部に立てられる窓枠材と、柱材の上に載せられる桁材とが用いられ、前記土台と桁材とが共用され、前記柱材と窓枠材とが共用されて、前記各部材が３種類の基本部材から構成され、それら各部材にはこみ栓用の穴が設けられ、それら各部材がこみ栓と木製ボートとで組み立てられていることを特徴とする木造住宅。
【請求項２】
床材が壁材と共用され、床材にはこみ栓用の穴が設けられ、桁材に対し、床材がこみ栓で止められていることを特徴とする請求項１に記載の木造住宅。
【請求項３】
屋根材が壁材と共用され、屋根材にはこみ栓用の穴が設けられ、桁材または棟材に対し、屋根材がこみ栓で止められていることを特徴とする請求項１または請求項２に記載の木造住宅。
【手続補正２】
【補正対象書類名】明細書
【補正対象項目名】全文
【補正方法】変更
【補正の内容】
【発明の詳細な説明】
【発明の名称】解体後パルプの原料もしくはのこくずになる木造住宅
【技術分野】
【０００１】
本発明は、在来木造住宅と角ログハウス住宅を合わせた、木造住宅に関する。
【背景技術】
【０００２】
従来の木造住宅（例えば、特許文献１参照）の解体後は、解体された後の柱材、壁材、屋根材等を産業廃棄物として処理、処分している。
【０００３】
木造住宅の解体時に発生する木材は、本来燃料などの再資源としての特性を有しているが、従来の木造住宅は、解体・分別・再資源化しやすいものになっておらず、これが廃棄物の減少、再資源化の拡大を図る上で課題となっている。
【特許文献１】特開２００３−１６０９７５号
【発明の開示】
【発明が解決しようとする課題】
【０００４】
従来の木造住宅は、色々な物質（断熱材、加工建材等）で作られていたり、釘、金物で補強しているため、木材だけを取り除くのは実質的に不可能である。例えば、解体された後の大量の木材から釘、金物等の補強材を除去するだけでも相当の手間と労力を必要とし、労多くしてそこから再資源として生み出される利益は実際非常に少ない。
【０００５】
本発明は上記課題に鑑みてなされたもので、針、金物を使用せず、日本古来のほぞとほぞ穴、こみ栓、木製ボートのみを用いて、３種類の基本部材を用いて組み立てられる木造住宅を提供することを目的とする。
【課題を解決するための手段】
【０００６】
上記課題を解決するために、本発明に係る請求項１の木造住宅は、
基礎上に止める土台と、土台の上に立てる柱材と、柱材間に多数段落とし込む壁材と、壁材で構成される壁の開口部に立てる窓枠材と、柱材の上に載せる桁材とを用い、前記土台と桁材とを共用し、前記柱材と窓枠材とを共用して、それらの部材を３種類の基本部材から構成し、それら各部材にはこみ栓用の穴を設け、それら各部材をこみ栓と木製ボートで組み立てることを特徴とする。
【０００７】
本発明に係る請求項２の木造住宅は、床材を壁材と共用し、床材にはこみ栓用の穴を設け、桁材に対し、床材をこみ栓で止めることを特徴とする。
【０００８】
本発明に係る請求項３の木造住宅は、屋根材を壁材と共用し、屋根材にはこみ栓用の穴を設け、桁材または棟材に対し、屋根材をこみ栓で止めることを特徴とする。
【発明の効果】
【０００９】
以上説明したように、本発明に係る木造住宅によると、間伐材の多くを有効利用して木造住宅を組み立てることができ、また、釘、金物を使用しないので、住宅の解体後は、柱材や壁材、屋根材等を紙パルプの原料やのこくずの原料として有効活用することができ、解体後の廃棄物の出る量をほとんどゼロ近くに減らすことができるという優れた効果を奏する。
【発明を実施するための最良の形態】
【００１０】
本発明を実施するための最良の形態を図１ないし図１０を参照して説明する。図中、符号１は本発明に係る木造住宅である。
【００１１】
木造住宅１は、図１に示すように、コンクリート基礎２の上に在来工法で土台３が止められ、土台３の上に在来工法で柱材４が立てられ、柱材４と柱材４の間に水平な壁材５が上下に多数段（図１では３０段）落とし込まれて、壁が構成される。壁の一部には開口部Ｋが設けられ、開口部Ｋの内側に窓枠材６が取り付けられる。窓枠材６の内側にはアルミサッシュ７が取り付けられる。柱材４の上端には図１に示すように桁材８が在来工法で載せられる。
【００１２】
図２（Ａ）（Ｂ）に外壁廻りと内部の壁材の断面構造図を示す。土台３は、図に示されるように、外壁廻り用の外部土台３Ａと内部用の内部土台３Ｂの２種類が用いられる。外部土台３Ａ、内部土台３Ｂは、上面の２条の突部３ａとこみ栓用の穴１０が設けられたものが、在来工法で加工され、点線で示すアンカーボルト９でコンクリート基礎２の上に止められる。壁材５は、図に示されるように、外部壁材５Ａと内部壁材５Ｂが用いられる。外部壁材５Ａ、内部壁材５Ｂは、上面の２条の突部５ａと下面の２条の溝部５ｂ、こみ栓用の穴１０が設けられたものを、外部土台３Ａ、内部土台３Ｂの上に、順次上から落とし込み、図８（Ｂ）のこみ栓１１と図８（Ｃ）の木製ボート２５で止めていく。下段の外部土台３Ａ、内部土台３Ｂ、外部壁材５Ａ、内部壁材５Ｂの２条の突部３ａ、５ａの上には上段の外部壁材５Ａ、内部壁材５Ｂの２条の溝部５ｂが図のように嵌め合わされる。一番上段の内部壁材５Ｂの上には、図４（Ａ）に示すように、内外の補足材２０、２０を納めて、点線で示すこみ栓用穴１０にこみ栓１１を止める。
【００１３】
図２（Ａ）に示すように、外壁廻りの外部土台３Ａの上には内部側の床材１２が補足材１３を介して止められる。床材１２は壁材５用の部材が共用される。床材１２は床材１２から外部土台３Ａにかけてこみ栓用の穴１０が設けられ、図８（Ｂ）に示すこみ栓１１によって、床材１２が外部土台３Ａの上に止められる。図２（Ａ）に示すように、床材１２の床面と同一レベルで、外部壁材５Ａの開口部Ｋにサッシ取付け用の鴨居１４が点線で示す竹クギ１５により取り付けられる。なお、図２（Ａ）中、符号１６は巾木を示す。同様にして、図２（Ｂ）に示すように、内部土台３Ｂの上に、こみ栓１１によって、洋室用の床材１２と和室用の床材１２’が止められる。図２（Ｂ）において、符号１７は畳寄せ、符号１８は畳、符号１９は和室柱（単板貼り）を示す。
【００１４】
図３（Ａ）（Ｂ）は、壁材５に用いる部材を示している。同部材の上面には前記２条の突部５ａが設けられ、下面には前記２条の溝部５ｂが設けられている。また、同部材の端面には、図４（Ｂ）に示すように、柱材４の側面の蟻溝４ａに上下方向にのみ抜出し可能に係合する蟻部５ｃが突設されている。同部材の上面には、こみ栓用の穴１０が設けられている。この壁材５に用いられる部材は、床材１２用、屋根材２２用としても共用される。
【００１５】
図４（Ａ）は住宅内部の１階部分の内部壁材５Ｂと２階部分の床材１２、１２’との取合せ構造、図４（Ｂ）は柱材４と内部壁材５Ｂとの取合せ構造を示している。図４（Ａ）に示すように、桁材８は、１階部分の内部壁材５Ｂの上に補足材２０、２０を介して在来工法で載せられる。桁材８は、土台３用の部材と同一のものが共用され、桁材８の上に２階部分の内部壁材５Ｂが多数段落とし込まれる。２階部分の内部壁材５Ｂから桁材８、１階部分の内部壁材５Ｂにかけて、こみ栓用の穴１０が上下に貫通して設けられ、図８（Ｂ）に示すこみ栓１１により、止められる。また、２階の洋室用の床材１２、和室用の床材１２’から桁材８にかけて、こみ栓用の穴１０が設けられ、図８（Ｂ）に示すこみ栓１１により、止められる。２階の壁材５は、図４（Ｂ）に示すように、端面の蟻部５ｃを柱材４の側面の蟻溝４ａに蟻継ぎする形で、落とし込まれる。
【００１６】
本発明の木造住宅に用いられる柱材４は、基本部材として５種類の部材が用いられる。図５（Ａ）に断面の異なる５種類の部材を示す。柱材４Ａは側面の４面全部に、柱材４Ｂは側面の３面に、柱材４Ｃは側面の対面する２面に、柱材４Ｄは側面の隣接する２面に、柱材４Ｅは側面の１面のみに、それぞれ蟻溝４ａが設けられている。柱材４は、５種類の部材から、場所に応じたもので、在来工法で、図１のように立てられる。また、図５（Ｂ）に示すように、柱材４の側面の蟻溝４ａには、蟻部２１ａを備える化粧単板２１を接合できる。柱材４の側面の上端には、図５（Ｃ）に示すように、柱の上部壁材を入れるため切り欠きが設けられる。
【００１７】
図６（Ａ）〜（Ｃ）は、屋根材（屋根下地材）２２と桁材８、棟木２３との取合わせ構造を示すもので、屋根材２２を支える桁材８は図２の土台３を図７（Ａ）（Ｂ）に示すように上面に蟻部８ａが設けられたものを用いる。屋根材２２は、壁材５、床材１２と同一の部材を図７（Ｃ）〜（Ｄ）のように上面に蟻溝２２ａとこみ栓用穴１０を加工したものを用いる。図６（Ａ）は、屋根材２２の継手部と桁材８の取合せ構造を示している。上側の一方の継手部２２ｂと下側の他方の継手部２２ｂ、その下の桁材８、壁材５にかけて、こみ栓用の穴１０が上下に貫通して設けられ、図８（Ｂ）に示すこみ栓１１でこれら各部材どうしが止められる。図６（Ｂ）は、軒先廻りにおいて、雨樋スペース２４を切欠き形成した屋根材２２と桁材８の取り合わせ構造を示している。ここでも、図６（Ａ）と同様の蟻継ぎによって両部材が互いに接合され、上下に貫通する点線のこみ栓用の穴１０に対するこみ栓によって止められる。さらに、図６（Ｃ）に示す棟部においては、図６（Ａ）に示す桁材８の上面が図６（Ｃ）のように左右に所定の傾斜が付くように加工されたものが、棟木２３として柱材４の上に載せられ、棟木２３の上に図６（Ｃ）に示すような形状に加工された屋根材２２、２２が両側からずらして被せられる。各部材にはこみ栓用の穴１０が上下に貫通されており、これらの部材がこみ栓１１によって止められる。
【００１８】
図７（Ａ）〜（Ｅ）は、桁材８および屋根材２２の形状を示すもので、桁材８は、図７（Ａ）（Ｂ）に示すように、上面に複数の蟻部８ａが一定間隔で設けられ、各蟻部８ａの上面からこみ栓用の穴１０が桁材８の下面に貫通している。屋根材２２の下面には、図７（Ｃ）（Ｄ）に示すように、桁材８との接合箇所に、蟻部８ａに蟻継ぎされる蟻溝２２ａが設けられ、蟻溝２２ａの内面からこみ栓用の穴１０が屋根材２２の反対側の上面に貫通している。図７（Ｅ）に示すように、屋根材２２は、図２ないし図４に示す壁材５と共用しているのが分かる。
【００１９】
図８（Ａ）は和室壁の納まりを示している。柱材４の側面の一つに壁材５が蟻継ぎされ、他の２面には化粧単板２１が蟻継ぎにより貼り付けられている。壁材５の内面にはラスボードが取り付けられるようになっており、その外側にしっくい塗しろが設けられる。図８（Ｂ）はこみ栓用の穴１０に打ち込まれるこみ栓１１を示している。こみ栓１１は中央の大径部１１Ａから軸線に沿って左右に小径の長尺な栓部１１Ｂが延び、栓部１１Ｂの周囲にはのこぎり歯状の係止部１１ａが全体に亘り設けられている。図８（Ｃ）は、袋ナット２６、ナット２７が螺合された木製ボート２５を示している。この木製ボート２５は、図８（Ｃ）に示すように、アンカーボルト９の上端に対し、継手用の袋ナット２６およびナットにて木製ボート２５の下端が継手されると共に、木製ボート２５の先端が、図２に示す土台３Ａ，３Ｂの直上の壁材５Ａ，５Ｂのこみ栓用の穴１０に打ち込まれるようになっている。
【００２０】
図９（Ａ）〜（Ｃ）は、出入口の片引戸の取付け構造を示すもので、片引戸２８は、図９（Ｂ）（Ｃ）に示すように、開口部（出入口）Ｋの上下に取り付けられた鴨居２９、２９の内面に１列の溝２９ａが設けられ、１枚の引戸２８が同溝２９ａ内をスライド可能に嵌め込まれる。また、図９（Ｄ）〜（Ｆ）は、出入口の２〜４枚の引戸３０の取付け構造を示すもので、図９（Ｅ）（Ｆ）に示すように、開口部（出入口）Ｋの上下に取り付けられた鴨居３１、３１の内面に２〜４列の溝３１ａが設けられ、２〜４枚の引戸３０が各溝３１ａ内をスライド可能に嵌め込まれる。
【００２１】
図１０（Ａ）〜（Ｃ）は、ドア（開き戸）３２の取付け構造を示すもので、図１０（Ｂ）（Ｃ）に示すように、開口部Ｋの上下の鴨居３３、３３および左右の化粧単板２１にドア当り部３３ａ、２１ｂが設けられ、ドア３２は図示しないヒンジ等で支持される。また、図１０（Ｄ）〜（Ｆ）は、アルミサッシュの取り付け構造を示すもので、図１０（Ｅ）（Ｆ）に示すように、開口部Ｋの上下の鴨居３４、３４および左右の化粧単板２１の各内側にアルミサッシュ７の枠が取り付けられる。アルミサッシュ７は、図に示すように、上部が可動式のものが使用される。
【産業上の利用可能性】
【００２２】
本発明の木造住宅は、間伐材の多くを利用できまた解体後のパルプもしくはのこくずとして再利用できる、木造住宅として利用可能である。
【図面の簡単な説明】
【００２３】
【図１】本発明に木造住宅の要部を示す立面図、
【図２】（Ａ）（Ｂ）は図１に示す木造住宅の外壁廻りと内部の壁材の断面構造図、
【図３】（Ａ）（Ｂ）は壁材に用いる部材の正面図と平面図、
【図４】（Ａ）（Ｂ）は住宅内部の１階部分の壁材と２階部分の床材の取合わせを示す立面図と、壁材と柱材の取合せを示す平面図、
【図５】（Ａ）（Ｂ）は柱部材の平面図と柱部材の基本部材（５種類）を示す平面図、
【図６】（Ａ）〜（Ｃ）は屋根材と桁材、棟木との取合せ構造を示す正面図、
【図７】（Ａ）〜（Ｅ）は桁材および屋根材の形状を示す図、
【図８】（Ａ）は和室壁の納まりを示す平面図、（Ｂ）（Ｃ）はこみ栓、木製ボートおよびナットを示す側面図、
【図９】（Ａ）〜（Ｃ）は出入口の片引戸の取付け構造を示す図、（Ｄ）〜（Ｆ）は出入口の引戸（２〜４枚）の取付け構造を示す図、
【図１０】（Ａ）〜（Ｃ）はドア（開き戸）の取付け構造を示す図、（Ｄ）〜（Ｆ）はアルミサッシュの取付け構造を示す図である。
【符号の説明】
【００２４】
１ 木造住宅
２ コンクリート基礎
３，３Ａ，３Ｂ 土台
３ａ、５ａ 突部
４，４Ａ，４Ｂ，４Ｃ，４Ｄ，４Ｅ 柱材
４ａ 蟻溝
５ 壁材
５ｂ 溝部
５ｃ，２０ａ，２１ａ 蟻部
６ 窓枠材
７ アルミサッシュ
８ 桁材
９ アンカーボルト
１０ こみ栓用の穴
１１ こみ栓
１１Ａ 大径部
１１Ｂ 栓部
１１ａ 係止部
１２ 床材
１３，２０ 補足材
１４，２９，３１，３３，３４ 鴨居
２９ａ，３１ａ，３３ｂ 溝部
１５ 竹クギ
１６ 巾木
１７ 畳寄せ
１８ 畳
１９ 和室柱
２１ 化粧単板
２１ｂ，３３ａ ドア当り部
２２ 屋根材
２２ａ 蟻溝
２２ｂ 継手部
２３ 棟木
２４ 雨樋スペース
２５ 木製ボート
２６，２７ ナット
２８ 片引戸
３０ 引戸
３２ ドア（開き戸）
【手続補正３】
【補正対象書類名】図面
【補正対象項目名】全図
【補正方法】変更
【補正の内容】
【図１】
2006283537.tif 000001
【図２】
2006283537.tif 000002
【図３】
2006283537.tif 000003
【図４】
2006283537.tif 000004
【図５】
2006283537.tif 000005
【図６】
2006283537.tif 000006
【図７】
2006283537.tif 000007
【図８】
2006283537.tif 000008
【図９】
2006283537.tif 000009
【図１０】
2006283537.tif 000010